(57)【要約】  アタッチメント１２は、上部旋回体に取り付けられる。駆動手段５０２は、通常動作時に、操作装置２６へのオペレータの入力に応じてアタッチメント１２を駆動する。センサ５０４は、ショベルの運動を検出する。滑り抑制部５１０は、センサ５０４の出力にもとづき、アタッチメント１２の延長方向の走行体の滑りを検出し、駆動手段５０２によるアタッチメント１２の動作を補正する。【選択図】図２
2017104238.tif 000002
【特許請求の範囲】
【請求項１】
ショベルであって、
走行体と、
前記走行体に回動自在に設けられる上部旋回体と、
前記上部旋回体に取り付けられたアタッチメントと、
前記ショベルの運動を検出するセンサと、
前記センサの出力にもとづき、前記アタッチメントの延長方向の前記走行体の滑りを検出し、前記アタッチメントの動作を補正する滑り抑制部と、
を備えることを特徴とするショベル。
【請求項２】
前記センサは、前記上部旋回体に設けられ、前記アタッチメントの延長方向に検出軸を有する加速度センサを含むことを特徴とする請求項１に記載のショベル。
【請求項３】
前記加速度センサは、前記アタッチメントのブームの根元と前記上部旋回体の旋回軸の間の領域に配置されることを特徴とする請求項２に記載のショベル。
【請求項４】
前記滑り抑制部は、前記加速度が所定のしきい値を超えると、前記アタッチメントの動作を補正することを特徴とする請求項２または３に記載のショベル。
【請求項５】
前記滑り抑制部は、前記アタッチメントの少なくともひとつの軸のトルクを減少させることを特徴とする請求項１から４のいずれかに記載のショベル。
【請求項６】
前記少なくともひとつの軸は、アーム軸を含むことを特徴とする請求項５に記載のショベル。
【請求項７】
前記滑り抑制部は、前記少なくともひとつの軸のシリンダ圧をリリーフすることを特徴とする請求項１から６のいずれかに記載のショベル。
【請求項８】
前記滑り抑制部は、前記少なくともひとつの軸のシリンダへの制御圧を変化させることを特徴とする請求項５または６に記載のショベル。
【請求項９】
前記滑り抑制部は、油圧系統のメインポンプの出力を低下させることを特徴とする請求項５に記載のショベル。
【請求項１０】
前記滑り抑制部は、エンジンの回転数を低下させることを特徴とする請求項５に記載のショベル。
【請求項１１】
前記滑り抑制部は、前記アタッチメントの少なくともひとつの軸を変位させることを特徴とする請求項１から１０のいずれかに記載のショベル。
【請求項１２】
前記滑り抑制部は、滑りを検出すると、ある補正期間の間、補正を行い、その後、オペレータの入力にもとづく状態に戻すことを特徴とする請求項１から１１のいずれかに記載のショベル。
【請求項１３】
前記センサは、角速度を検出する角速度センサをさらに含み、
前記滑り抑制部は、前記角速度センサおよび前記角速度センサの出力にもとづいて、前記走行体の滑りを検出することを特徴とする請求項２または３に記載のショベル。
【請求項１４】
アタッチメントを有するショベルの制御方法であって、
アタッチメントの動作中において、センサが前記アタッチメントの延長方向に沿った前記ショベルの運動の加速度を検出するステップと、
前記加速度が所定のしきい値を超えると、前記アタッチメントの動作を補正するステップと、
を備えることを特徴とする制御方法。
【請求項１５】
ショベルであって、
走行体と、
前記走行体に回動自在に設けられる上部旋回体と、
前記上部旋回体に取り付けられたアタッチメントと、
前記アタッチメントによる掘削作業中に、前記走行体の位置が変位すると、前記アタッチメントの動作を補正する制御装置と、
を備えることを特徴とするショベル。
【請求項１６】
前記アタッチメントの操作レバーが操作状態にあり、かつ前記走行体および前記旋回が非操作状態にあることが、前記アタッチメントによる掘削作業中であることの必要条件であることを特徴とする請求項１５に記載のショベル。
【発明の詳細な説明】
【技術分野】
【０００１】
本発明は、ショベルに関する。
【背景技術】
【０００２】
ショベルは、主として走行体（クローラ、ロワーともいう）、上部旋回体、アタッチメントを備える。上部旋回体は走行体に対して回動自在に取り付けられており、旋回モータによって位置が制御される。アタッチメントは上部旋回体に取り付けられており、作業時に使用される。【０００３】
ショベルが軟土壌等の弾性係数の低い脆いフィールドで使用される場合、あるいは摩擦係数が小さいフィールドで使用される場合、ショベルの滑りが問題となる。たとえば特許文献１には、走行時の走行体の滑り防止に関する技術が開示される。たとえば特許文献２には、旋回時の走行体の滑り防止に関する技術が開示される。
【先行技術文献】
【特許文献】
【０００４】
【特許文献１】特開２０１４−６４０２４号公報
【特許文献２】特開２０１４−１６３１５５号公報
【発明の概要】
【発明が解決しようとする課題】
【０００５】
本発明者は、ショベルについて検討した結果、以下の課題を認識するに至った。掘削や破砕、均しなどのアタッチメントを用いた作業中において、走行体はアタッチメントからの反力を受ける。反力が大きくなると、走行体に滑りが生ずるおそれがある。従来では、作業中に走行体が滑ると、滑りを知覚したオペレータが、アタッチメントの動作を停止させる必要があり、これは作業効率の低下を招くという問題があった。あるいはオペレータは、経験に基づいて滑りが生じないようにアタッチメント動作を微調節する必要があったが、滑り防止をオペレータの操作に委ねると、未熟なオペレータが走行体を滑らせる可能性もある。【０００６】
従来の滑り防止は、旋回時や走行時を対象としたものであり、アタッチメント動作については何の配慮もされていなかった。【０００７】
本発明は係る課題に鑑みてなされたものであり、そのある態様の例示的な目的のひとつは、アタッチメントの動作に起因する滑りの抑制機構を備えたショベルの提供にある。
【課題を解決するための手段】
【０００８】
本発明のある態様はショベルに関する。ショベルは、走行体と、走行体に回動自在に設けられる上部旋回体と、上部旋回体に取り付けられたアタッチメントと、ショベルの運動を検出するセンサと、センサの出力にもとづき、アタッチメントの延長方向の走行体の滑りを検出し、アタッチメントの動作を補正する滑り抑制部と、を備える。【０００９】
アタッチメントのブーム、アーム、バケットは、同一平面内に位置することから、アタッチメントの動作時に、アタッチメントからの反力は、ショベルの本体（走行体および上部旋回体）に対して、アタッチメントの延長方向に作用する。言い換えれば、この方向への滑りが生じているとき、その滑りは、アタッチメントの動作に起因するものであると推定される。この態様によれば、アタッチメントの動作に起因する滑りを検出し、その結果に応じて、アタッチメントの動作を補正することにより、滑りを抑制できる。【００１０】
アタッチメントのシリンダの圧力検知情報にもとづいて間接的に滑り検出する場合、遅延が生ずる。これに対してセンサによってショベル本体の滑りを直接的に検出することにより、検出遅延を短縮でき、迅速な対処が可能となる。【００１１】
センサは、上部旋回体に設けられ、アタッチメントの延長方向に検出軸を有する加速度センサを含んでもよい。
この場合、上部旋回体の旋回方向（位置）にかかわらず、アタッチメントの延長方向の運動を直接的に検出できる。【００１２】
加速度センサは、アタッチメントのブームの根元と上部旋回体の旋回軸の間の領域に配置されてもよい。
アタッチメントが上部旋回体に及ぼす力の作用点は、ブームの根元である。したがってブームの根元に加速度センサを設けることで、アタッチメントの動作に起因する滑りを好適に検出できる。ここで加速度センサが旋回軸から遠ざかると、加速度センサの出力は、上部旋回体の旋回運動による遠心力の影響を受けてしまう。そこで加速度センサを、ブームの根元の近傍であって、かつ旋回軸の近傍に配置することで、旋回運動の影響を低減し、アタッチメントの動作に起因する滑りを検出できる。【００１３】
センサは、角速度を検出する角速度センサをさらに含んでもよい。滑り抑制部は、角速度センサおよび角速度センサの出力にもとづいて、走行体の滑りを検出してもよい。
加速度センサの出力は、特定方向の滑り（直進運動）だけでなく、ピッチング方向、ヨーイング方向、ローリング方向の回転運動の成分も含みうる。この態様によれば、角速度センサを併用することで、滑り運動のみを抽出することが可能となる。【００１４】
補正部は、加速度が所定のしきい値を超えると、アタッチメントの動作を補正してもよい。
これにより、滑りが生じていないときには、アタッチメントは、オペレータの入力にもとづいて通常動作し、滑りが生じているときにのみ、補正をかけることができる。【００１５】
補正部は、アタッチメントの少なくともひとつの軸のトルク（力）を減少させてもよい。
アタッチメントの発生する力を減少すると、走行体に対してアタッチメントの延長方向に作用する力Ｆが低減し、滑りが収まる。滑りが収まると、アタッチメントの力を元に戻したとしても、最大静止摩擦力を超えない限り、滑りは生じない。したがってトルクの減少を短い時間スケールで行うことにより、オペレータに違和感やストレスを与えることなく、滑りを抑制することができる。【００１６】
少なくともひとつの軸は、アーム軸を含んでもよい。本発明者が検討したところ、アタッチメントの動作に起因する滑りの主要因は、アームの動作に起因するものであるという知見が得られた。そこでアーム軸のトルク（力）を低減することで、滑りを好適に抑制できる。【００１７】
滑り抑制部は、少なくともひとつの軸のシリンダ圧をリリーフしてもよい。これによりその軸の発生するトルク（力）を低減できる。【００１８】
補正部は、少なくともひとつの軸のシリンダへの制御圧を変化させてもよい。これによりその軸の発生するトルク（力）を低減できる。【００１９】
補正部は、油圧系統のメインポンプの出力を低下させてもよい。補正部は、エンジンの回転数を低下させてもよい。
これにより、すべての軸のトルクを一様に低下させることができる。【００２０】
補正部は、アタッチメントの少なくともひとつの軸を変位させてもよい。
これにより、アタッチメントの姿勢を変えて、アタッチメントが発生する力（ベクトル）の向きを変えることができ、走行体を滑らせる方向の力を低減し、および／または、走行体を地面に押しつけて垂直抗力を増加させることができる。【００２１】
補正部は、滑りを検出すると、ある補正期間の間、補正を行い、その後、オペレータの入力にもとづく状態に戻してもよい。補正期間は、数ｍｓ〜数百ｍｓの時間スケールであってもよい。【００２２】
センサは、画像センサであってもよい。滑り抑制部は、画像センサの出力にもとづき、アタッチメントの延長方向の走行体の滑りを検出してもよい。【００２３】
なお、以上の構成要素の任意の組み合わせや本発明の構成要素や表現を、方法、装置、システムなどの間で相互に置換したものもまた、本発明の態様として有効である。
【発明の効果】
【００２４】
本発明によれば、ショベルの走行体の滑りを抑制できる。
【図面の簡単な説明】
【００２５】
【図１】実施の形態に係る建設機械の一例であるショベルの外観を示す斜視図である。
【図２】実施の形態に係るショベルのアタッチメントの制御ブロック図である。
【図３】図３（ａ）、（ｂ）は、アタッチメントの動作に起因するショベルの滑りを説明する図である。
【図４】図４（ａ）〜（ｄ）は、ショベルの滑りを説明する図である。
【図５】実施の形態に係る滑り補正のフローチャートである。
【図６】図６（ａ）、（ｂ）は、センサの取り付け箇所の一例を説明する図である。
【図７】第１の補正方式による滑り防止を示す波形図である。
【図８】第２の補正方式を説明する図である。
【図９】第１実施例に係るショベルの電気系統および油圧系統のブロック図である。
【図１０】第２実施例に係るショベルの電気系統および油圧系統のブロック図である。
【図１１】第３実施例に係るショベルの電気系統および油圧系統ブロック図である。
【図１２】第４実施例に係るショベルの電気系統および油圧系統ブロック図である。
【図１３】第５実施例に係るショベルの電気系統および油圧系統ブロック図である。
【発明を実施するための形態】
【００２６】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２７】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００２８】
図１は、実施の形態に係る建設機械の一例であるショベル１の外観を示す斜視図である。ショベル１は、主として走行体（ロワー、クローラともいう）２と、走行体２の上部に旋回装置３を介して回動自在に搭載された上部旋回体４と、を備えている。
【００２９】
上部旋回体４には、アタッチメント１２が取り付けられる。アタッチメント１２は、ブーム５と、ブーム５の先端にリンク接続されたアーム６と、アーム６の先端にリンク接続されたバケット１０とが取り付けられている。バケット１０は、土砂、鋼材などの吊荷を捕獲するための設備である。ブーム５、アーム６、及びバケット１０は、それぞれブームシリンダ７、アームシリンダ８、及びバケットシリンダ９によって油圧駆動される。また、上部旋回体４には、バケット１０の位置や励磁動作および釈放動作を操作するオペレータ（運転者）を収容するための運転室４ａや、油圧を発生するためのエンジン１１といった動力源が設けられている。エンジン１１は、例えばディーゼルエンジンで構成される。
【００３０】
図２は、実施の形態に係るショベル１のアタッチメント１２の制御ブロック図である。ショベル１は、油圧アクチュエータ５００、駆動手段５０２、センサ５０４および滑り抑制部５１０を備える。各ブロックの機能は、電気的または機械的、もしくはそれらの組み合わせによって実現されるものであり、各ブロックの構成および機能の実現方法は限定されない。
【００３１】
油圧アクチュエータ５００は、図１のアタッチメント１２を駆動するアクチュエータであり、具体的には、ブームシリンダ７、アームシリンダ８、バケットシリンダ９を含む。実際には、ブームシリンダ７、アームシリンダ８、バケットシリンダ９の制御は独立に行われるが、ここでは簡略化してひとつの制御系として示す。操作装置２６は、オペレータの操作入力を受け、油圧アクチュエータ５００に対する指令値Ｓ１を生成する。実際には指令値Ｓ１は、ブーム軸、アーム軸、バケット軸について個別に生成されるが、ここではひとつの信号線として示す。駆動手段５０２は、指令値Ｓ１にもとづいて油圧アクチュエータ５００を駆動する。
【００３２】
センサ５０４は、ショベル１の本体の運動を検出する。センサ５０４は、ショベル１の走行体２の滑りを検出できればよく、その種類や構成は特に限定されない。またセンサ５０４は、複数のセンサの組み合わせであってもよい。好ましくはセンサ５０４は、上部旋回体４に設けられた加速度センサや速度センサを含んでもよい。加速度センサや速度センサの検出軸の方向は、アタッチメント１２の延長方向（図３（ａ）、（ｂ）の方向Ｌ１）と一致させることが望ましい。
【００３３】
滑り抑制部５１０は、センサ５０４の出力Ｓ２にもとづき、アタッチメント１２の延長方向の走行体２の滑りを検出し、滑りが抑制されるように補正指令Ｓ３を生成し、補正指令Ｓ３にもとづいて駆動手段５０２による油圧アクチュエータ５００の制御を補正し、これによりアタッチメント１２の動作を補正する。なお、センサ５０４の出力Ｓ２には、滑りに起因する成分の他に、振動に起因する成分、旋回に起因する成分、外乱に起因する成分などが含まれうる。滑り抑制部５１０は、センサ５０４の出力Ｓ２から、滑り運動において支配的な周波数成分のみを抽出し、そのほかの周波数成分を除去するフィルタを含んでもよい。
【００３４】
以上がショベル１の基本構成である。続いてその動作を説明する。図３（ａ）、（ｂ）は、アタッチメント１２の動作に起因するショベル１の滑りを説明する図である。図３（ａ）、（ｂ）は、ショベル１を真横から見た図である。τ１〜τ３はそれぞれ、ブーム５、アーム６、バケット１０の各リンクにおいて発生するトルク（力）を示す。図３（ａ）は、掘削作業を示しており、アタッチメント１２がショベル１の本体（走行体２および上部旋回体４）に及ぼす力Ｆは、ブーム５の根元５２２に作用し、この力Ｆは走行体２をバケット１０に近づける方向に作用する。走行体２と地面の間の静止摩擦係数をμとし、走行体２に対する垂直抗力をＮとすれば、
Ｆ＞μＮ
を満たしたときに、走行体２は力Ｆの方向に滑り始める。
【００３５】
図３（ｂ）は、均し作業を示しており、アタッチメント１２がショベル１の本体に及ぼす力Ｆは、走行体２をバケット１０から遠ざける方向に作用する。この場合も、
Ｆ＞μＮ
を満たしたときに、走行体２は力Ｆの方向に滑り始める。
【００３６】
図４（ａ）〜（ｄ）は、ショベル１の滑りを説明する図である。図４（ａ）〜（ｄ）は、ショベル１を真上から見た図である。アタッチメント１２のブーム５、アーム６、バケット１０は、その姿勢や作業内容にかかわらず常に同一平面（矢状面）内に位置する。したがってアタッチメント１２の動作中に、アタッチメント１２からの反力Ｆは、ショベル１の本体（走行体２および上部旋回体４）に対して、アタッチメントの延長方向Ｌ１に作用すると言える。これは、走行体２と上部旋回体４の位置関係（回転角度）にも依存しない。力Ｆの向きは、図３（ａ）、（ｂ）に示すように、作業内容によって異なる。言い換えれば、延長方向Ｌ１への滑りが生じているとき、その滑りは、アタッチメント１２の動作に起因するものであると推定され、したがってアタッチメント１２を制御することでその滑りを抑制できる。
【００３７】
図５は、実施の形態に係る滑り補正のフローチャートである。はじめにアタッチメントの動作中か否かが判定される（Ｓ１００）。非動作中であれば（Ｓ１００のＮ）、ステップＳ１００に戻る。アタッチメント１２の動作が検出されると（Ｓ１００のＹ）、アタッチメント延長方向Ｌ１のショベル本体の運動（たとえば加速度）が検出される（Ｓ１０２）そして滑りが検出されないとき（Ｓ１０４のＮ）には、オペレータの入力にもとづく通常のアタッチメント動作（Ｓ１０８）が行われる。滑りが検出されるた場合（Ｓ１０４のＹ）、アタッチメント１２の動作が補正される（Ｓ１０６）。
【００３８】
実施の形態に係るショベル１によれば、センサ５０４によってアタッチメント１２の動作に起因する滑りを検出し、その結果に応じて、アタッチメント１２の動作を補正することにより、滑りを抑制できる。
【００３９】
走行体２が変位する原因は、アタッチメントの掘削反力による滑りの他、走行体による意図的な変位、旋回体の旋回に起因する滑りなどが存在するが、アタッチメントの動作補正が最も有効なのは、掘削反力を原因とする滑りであり、その他の要因による滑りや変位は、却って滑りや変位を増長させる場合もあり得る。そこでより詳しくは、アタッチメントによる掘削作業中において、走行体が変位した場合に、アタッチメント１２の動作を補正してもよい。
【００４０】
実際に車体が滑ったことを検知する際に、掘削による滑りと、その他の原因による滑りと区別するために、滑り抑制部５１０は、掘削動作なのか否かを判断する機能を備えていてもよい。滑り抑制部５１０は、ブーム、アーム、バケットの位置に関する検出情報に基づいて、掘削状態か判断してもよい。ブーム、アーム、バケットの位置は、それぞれ角度センサやストロークセンサにより検出可能である。位置情報の代わりに、アタッチメント、旋回、走行の操作レバーの操作情報を用いることもできる。旋回、走行の操作がされている場合は、掘削による滑りではないと判断することもできる。アタッチメントが備えるシリンダの圧力情報に基づいて掘削中か否かを判断してもよい。
【００４１】
アタッチメントによる掘削作業は、基本的には走行停止状態、旋回停止状態で実施され
る。掘削作業中、オペレータは２本のレバーを同時操作し、ブームとアーム、又はアームとバケット、ブームとバケット、のようにアタッチメントが有する少なくとも２つのアクチュエータを操作する。したがって、アタッチメントの操作レバーが操作状態にあり、かつ走行体および旋回が非操作状態にあることを、アタッチメントによる掘削作業中であることの必要条件とすることができる。
【００４２】
したがって走行状態、旋回状態だと判断できる場合には、滑りが生じたとしてもアタッチメントによる滑りではないとして制御の判断材料とすることもできる。逆にいうとアタッチメントで土砂を掘削している際に、走行状態ではない、旋回状態ではない、という判断材料を更に考慮して、アタッチメントの動作による滑りだと判断すると、掘削動作による滑りを精度よく抑制することができる。
【００４３】
したがって、本願で開示する実施例によれば、アタッチメントの掘削中に走行体の位置が変位すると、アタッチメントの動作が補正され、滑りが抑制される。また、このときの補正の判断材料として、アタッチメントの操作レバーや、走行体、旋回の操作情報や実際の動作を更に考慮して、アタッチメントの動作を補正することにより、掘削動作による滑りを精度よく抑制できる。
【００４４】
図４（ａ）〜（ｄ）に示すように、アタッチメント１２の延長方向Ｌ１は、上部旋回体４の向き（正面方向）と常に一致する。したがってセンサ５０４（加速度センサ）を、実際の滑りが生ずる走行体２側ではなく、上部旋回体４の上に搭載することで、上部旋回体４の旋回角度（位置）に依存せずに、延長方向Ｌ１への滑り運動を直接的にかつ正確に検出することができる。
【００４５】
アタッチメント１２の動作の補正を高速に行うことで、オペレータが補正を意識せずに滑りを抑制することは理論的に可能である。しかしながら応答遅延が大きくなると、オペレータが、自分自身の操作と、アタッチメント１２の動作に乖離を感じる可能性もある。そこでショベル１は、滑りが検出されたときに、アタッチメント１２の動作の補正と平行して、オペレータに滑りが生じていることを報知、警報してもよい。これにより、オペレータは、操作と動作の乖離が、アタッチメント１２の動作の自動補正によるものであることを認知することができる。またオペレータは、この報知が連続して発生する場合には、自身の操作が不適切であることを認識することが可能であり、操作が支援される。
【００４６】
本発明は、図２のブロック図として把握され、あるいは上述の説明から導かれるさまざまな装置や方法に及ぶものであり、特定の構成に限定されるものではない。以下、本発明の範囲を狭めるためではなく、発明の本質や回路動作の理解を助け、またそれらを明確化するために、より具体的な構成例を説明する。
【００４７】
図６（ａ）、（ｂ）は、センサ５０４の取り付け箇所の一例を説明する図である。上述のように、センサ５０４は、上部旋回体４に設けられた加速度センサ５０６を含む。加速度センサ５０６は、延長方向Ｌ１に検出軸を有している。ここでアタッチメント１２が上部旋回体４に及ぼす力の作用点は、ブーム５の根元５２２である。したがって加速度センサ５０６は、ブーム５の根元５２２に設けることが望ましい。これによりアタッチメント１２の動作に起因する滑りを好適に検出できる。
【００４８】
ここで加速度センサ５０６が旋回軸５２０から遠ざかると、旋回体４が旋回運動するときに、加速度センサ５０６が、旋回運動による遠心力の影響を受けてしまう。そこで加速度センサ５０６は、ブーム５の根元５２２の近傍であって、かつ旋回軸５２０の近傍に配置することが望ましい。まとめると、加速度センサ５０６は、ブーム５の根元５２２と上部旋回体４の旋回軸５２０の間の領域Ｒ１に配置することが望ましい。これにより、加速度センサ５０６の出力に含まれる旋回運動の影響を低減でき、アタッチメント１２の動作に起因する滑りを好適に検出できる。
【００４９】
また加速度センサ５０６の位置が地面から遠すぎると、加速度センサ５０６の出力が、ピッチングやローリングに起因する加速度成分を含むこととなり好ましくない。この観点から、加速度センサ５０６は上部旋回体４のなるべく下の方に設置することが好ましい。
【００５０】
続いて、アタッチメント１２の補正制御について説明する。アタッチメント１２の補正制御は、大きく２つの方式に分類される。以下、それぞれを説明する。
【００５１】
（第１の補正方式）
第１の補正方式において、滑り抑制部５１０は、滑りを検出すると、アタッチメント１２の可動軸（リンク）の少なくともひとつのトルク（力）を低下させる。さまざまな種類の作業を考慮すると、制御対象の軸としてはアーム軸が好適であり、したがって滑り抑制部５１０は、滑りを抑制するためにアームシリンダ８の力を低下させることが望ましい。
【００５２】
図７は、第１の補正方式による滑り防止を示す波形図である。図７には上から順に、走行体２の延長方向Ｌ１の速度ｖおよび加速度α、アタッチメント１２の発生するトルクτ（たとえばアーム軸のトルクτ２）、アタッチメント１２の動作がショベル１の本体に及ぼす延長方向Ｌ１の力Ｆが示される。理解の容易化、説明の簡潔化のために、図７はショベル１の動作を模式的に示すものである。なお図７には比較のために、補正制御を行わないときの波形が一点鎖線で示される。
【００５３】
初めに、補正制御を行わない場合の動作を説明する。時刻ｔ０より前に、滑りは生じておらず、走行体２は地面に対して静止しており、速度ｖはゼロである。時刻ｔ０に、オペレータがさらに操作レバーを傾けると、トルクτ２（あるいはそのほかの軸のトルクτ１、τ３）増加する。これにより、ショベル１の本体に加わる延長方向Ｌ１の力Ｆが増加し、時刻ｔ１に最大静止摩擦力μＮを超える。そうすると、走行体２は地面に対して滑り初め、速度ｖは一点鎖線で示すように増加していく。
【００５４】
続いて、第１の補正方式を採用したときの動作を説明する。時刻ｔ１に走行体２が滑り始めると、加速度αが増加し始める。言い換えれば走行体２の滑りは、加速度αの増加として現れ、したがって滑り抑制部５１０は、加速度センサ５０６が検出する加速度αにもとづいて、滑りを判定する。たとえば滑り抑制部５１０は、加速度センサ５０６が検出した加速度αが、所定のしきい値αＴＨを超えると、滑りが発生したものと判定し、補正制御を有効とする。
【００５５】
時刻ｔ２に、加速度αがしきい値αＴＨを超えると、補正制御が有効となる。第１の補正方式では、補正制御は、補正期間Ｔの間、有効となり、この補正期間Ｔにおいてアーム軸のトルクτ２がオペレータの操作入力を無視して低下する。トルクτ２が低下すると、アタッチメント１２がショベル１の本体に及ぼす力Ｆが小さくなる。そして力Ｆが、動摩擦力μ’Ｎを下回ると、滑りが収まる。そして補正期間Ｔの経過後に、補正が解除され、オペレータの入力にもとづく補正前の元のトルクτ２に戻される。補正期間Ｔは、１ミリ秒〜２秒であってもよく、本発明者らが行ってシミュレーション結果を考慮すると、より好ましくは、１０ｍｓ〜２００ｍｓ程度とするとよい。補正の解除後、力Ｆも元のレベルまで大きくなるが、走行体２は地面に対して静止しているため、力Ｆが最大静止摩擦力μＮを超えない限り、走行体２は静止状態を維持し、再び滑ることはない。
【００５６】
たとえば図３（ａ）の掘削作業を例とすると、バケット１０に大量の土砂を積載した状態でアーム６を引くと、力Ｆが発生し、走行体２が前方に滑り始める。そうすると滑り抑制部５１０は瞬時にアーム６の引き込む力（トルクτ２）を低下させる。これにより力Ｆが低下し、動摩擦力μ’Ｎを下回り、滑りが止まる。滑りが止まった後に、補正が解除され、アーム６のトルクτ２が元に戻される。このときには最大静止摩擦力μＮ（＞μ’Ｎ）が有効であるから、滑りは生じない。この処理を、非常に短い時間スケールで繰り返すことにより、オペレータはレバーの操作量を変えることなく、また、操作感を損なうことなく、滑りを抑制することができる。
【００５７】
（第２の補正方式）
次に説明する第２の補正方式は、第１の補正方式と併用してもよいし、単独で用いてもよい。第２の補正方式では、滑り抑制部５１０は、滑りを検出すると、アタッチメント１２の少なくともひとつの軸を変位させ、アタッチメント１２の姿勢を微調整する。
【００５８】
図８は、第２の補正方式を示す図である。図８には、真横から見た掘削作業中のショベル１が示される。補正前のアタッチメント１２の状態が実線で、補正後のアタッチメント１２の状態は一点鎖線で示される。たとえばバケット１０に大量の土砂が積載されており、その状態でショベル１がバケット１０を抱き込むとする。そうすると、バケット１０を中心として、ブームの根元５２２を作用点とするトルクＴが発生する。このトルクＴのうち地面と平行な成分が、走行体２を滑らせる力Ｆとして作用する。
【００５９】
補正によって、アタッチメント１２の姿勢を変化させると、根元５２２に作用するトルク（力）の向きが、ＴからＴ’に変化する。一例として図８では、ブームの位置が、実線の５から一点鎖線の５’に修正されている。補正後のトルクＴ’のうち地面と平行な成分（走行体２を滑らせる力）Ｆ’は、補正前の力Ｆよりも小さくなる。これにより、滑りが抑制される。
【００６０】
それに加えてトルクの向きがＴからＴ’に変化すると、地面と垂直方向の成分、つまり走行体２を地面に押しつける力が増加する。これにより垂直抗力Ｎが補正前に比べて増加し、動摩擦力μ’Ｎが増加し、滑りが抑制される。
【００６１】
図８の例では、力Ｆを低減させることと、垂直抗力Ｎを増大させることの二つの効果により滑りを抑制したが、第２の補正方式では、それらの効果の一方のみを使用する態様も有効である。以上が補正方式の説明である。
【００６２】
続いて、ショベル１のより詳細な構成を説明する。図９〜図１３は、実施の形態の第１実施例から第５実施例に係るショベル１の電気系統および油圧系統のブロック図である。なお、図９〜図１３では、機械的に動力を伝達する系統を二重線で、油圧系統を太い実線で、操縦系統を破線で、電気系統を細い実線でそれぞれ示している。なおここでは油圧ショベルについて説明するが、旋回に電動機を用いるハイブリッドショベルにも本発明は適用可能である。
【００６３】
はじめに図９〜図１３に共通する構成を説明する。機械式駆動部としてのエンジン１１は、油圧ポンプとしてメインポンプ１４及びパイロットポンプ１５に接続されている。メインポンプ１４には、高圧油圧ライン１６を介してコントロールバルブ１７が接続されている。なお、油圧アクチュエータに油圧を供給する油圧回路は２系統設けられることがあり、その場合にはメインポンプ１４は２つの油圧ポンプを含む。本明細書では理解の容易化のため、メインポンプが１系統の場合を説明する。
【００６４】
コントロールバルブ１７は、ショベル１における油圧系の制御を行う装置である。コントロールバルブ１７には、図１に示した走行体２を駆動するための走行油圧モータ２Ａ及び２Ｂの他、ブームシリンダ７、アームシリンダ８、及びバケットシリンダ９が高圧油圧ラインを介して接続されており、コントロールバルブ１７は、これらに供給する油圧（制御圧）をオペレータの操作入力に応じて制御する。
【００６５】
また、旋回装置３を駆動するための旋回油圧モータ２１がコントロールバルブ１７に接続される。旋回油圧モータ２１は、旋回コントローラの油圧回路を介してコントロールバルブ１７に接続されるが、図３には旋回コントローラの油圧回路は示されず、簡略化されている。
【００６６】
パイロットポンプ１５には、パイロットライン２５を介して操作装置２６（操作手段）が接続されている。操作装置２６は、走行体２、旋回装置３、ブーム５、アーム６、及びバケット１０を操作するための操作手段であり、オペレータによって操作される。操作装置２６には、油圧ライン２７を介してコントロールバルブ１７が接続され、また、油圧ライン２８を介して圧力センサ２９が接続される。
【００６７】
たとえば操作装置２６は、油圧パイロット式の操作レバー２６Ａ〜２６Ｄを含む。操作レバー２６Ａ〜２６Ｄはそれぞれ、ブーム軸、アーム軸、バケット軸および旋回軸に対応する操作レバーである。実際には、操作レバーは二個設けられ、一方の操作レバーの縦方向、横方向に２軸が、残りの操作レバーの縦方向、横方向に残りの２軸が割り当てられる。また操作装置２６は、走行軸を制御するためのペダル（不図示）を含む。
【００６８】
操作装置２６は、パイロットライン２５を通じて供給される油圧（１次側の油圧）をオペレータの操作量に応じた油圧（２次側の油圧）に変換して出力する。操作装置２６から出力される２次側の油圧（制御圧）は、油圧ライン２７を通じてコントロールバルブ１７に供給されるとともに、圧力センサ２９によって検出される。すなわち圧力センサ２９の検出値は、操作レバー２６Ａ〜２６Ｄそれぞれに対するオペレータの操作入力θＣＮＴを示す。なお図９〜図１１において油圧ライン２７は１本で描かれているが、実際には左走行油圧モータ、右走行油圧モータ、旋回それぞれの制御指令値の油圧ラインが存在する。
【００６９】
コントローラ３０は、ショベルの駆動制御を行う主制御部である。コントローラ３０は、ＣＰＵ（Central Processing Unit）及び内部メモリを含む演算処理装置で構成され、ＣＰＵがメモリに格納された駆動制御用のプログラムを実行することにより実現される。図２の滑り抑制部５１０は、コントローラ３０の機能ブロックとして構成することができる。
【００７０】
センサ５０４は、アタッチメント１２の延長方向のショベル１本体の運動（たとえば加速度）を検出し、運動に応じた検出信号Ｓ２をコントローラ３０に供給する。
【００７１】
たとえば図９〜図１３の、メインポンプ１４、パイロットポンプ１５、コントロールバルブ１７等は、図３の駆動手段５０２に相当する。
【００７２】
コントローラ３０の滑り抑制部５１０は、滑りを抑制するためにアタッチメント１２の動作を補正する。図９〜図１１には、アタッチメント１２の運動を、第１の補正方式により制御するための異なる構成例が開示される。
【００７３】
図９は、第１実施例に係るショベル１ａを示す。ショベル１ａでは、補正対象の少なくともひとつの軸のシリンダへの制御圧を変化させることにより、トルクを低下させる。具体的には図９のショベル１ａは、アタッチメント１２の補正のために、補正対象の軸に対応する油圧ライン２７上に設けられた流量調整弁５１２をさらに備える。たとえばアーム軸を対象とする補正を行う場合、アーム軸の油圧ライン２７上に、流量調整弁５１２が設けられる。コントローラ３０は、流量調整弁５１２を制御することにより、アームシリンダ８への制御圧を低下させ、アーム軸のトルク（力）を低下させる。流量調整弁５１２は、図２の滑り抑制部５１０の一部分と把握することができる。
【００７４】
図１０は、第２実施例に係るショベル１ｂを示す。ショベル１ｂでは、コントローラ３０の滑り抑制部５１０は、エンジン１１の回転数を低下させることにより、アタッチメント１２のトルクを低下させ、滑りを抑制する。この場合、制御対象の軸を選択することはできず、ブーム軸、アーム軸、バケット軸のトルク（力）は一様に低下する。
【００７５】
図１１は、第３実施例に係るショベル１ｃを示す。ショベル１ｃでは、コントローラ３０の滑り抑制部５１０は、メインポンプ１４の出力を低下させることにより、アタッチメント１２のトルクを低下させ、滑りを抑制する。この構成でも、ブーム軸、アーム軸、バケット軸のトルク（力）が一様に低下する。
【００７６】
図１２は、第４実施例に係るショベル１ｄを示す。コントロールバルブ１７には、圧力調整弁（リリーフ弁）５１４が取り付けられる。滑り抑制部５１０は、滑りが判定されると、圧力調整弁５１４を利用して、制御対象の軸のシリンダ圧をリリーフする。これによりその軸のトルクが低下し、滑りを抑制することができる。圧力調整弁５１４は、図２の滑り抑制部５１０の一部分と把握することができる。この構成は、他の構成に比べて遜色のない効果が得られる上に、実装が容易であるという利点を有する。
【００７７】
たとえば圧力センサ５１６は、ブームシリンダ７、アームシリンダ８、バケットシリンダ９の各軸のシリンダ圧を監視する。圧力調整弁５１４は、コントローラ３０からの補正指令Ｓ３に応じて、ブームシリンダ７、アームシリンダ８、バケットシリンダ９の各軸のシリンダ圧を独立にリリーフ可能に構成される。シリンダ圧の検出値は、コントローラ３０に供給される。滑り抑制部５１０は、滑りが判定されると、過剰なシリンダ圧が検出された軸の圧力を圧力調整弁５１４を用いてリリーフしてもよい。つまり過剰なシリンダ圧が生じている軸が、制御対象の軸となる。
【００７８】
特定の軸（たとえばアーム軸）を制御対象とする場合、その軸のシリンダ圧をリリーフできるように圧力調整弁５１４を設けてもよい。
【００７９】
図１３は、第５実施例に係るショベル１ｅを示す。このショベル１ｅは、アタッチメント１２の運動を、第２の補正方式により制御する。ショベル１ｅは、電磁制御弁３１を備える。ここでは、第２の補正方式においてブーム軸を補正対象としてその姿勢を制御する場合を例とする。非制御対象のアーム軸、バケット軸については、従来のショベルと同様に、操作レバー２６Ｂ，２６Ｃの傾きによって変化する油圧ライン２７ｂ、２７ｃの制御圧によって制御される。
【００８０】
一方、補正対象であるブーム軸のシリンダ７は、電磁制御弁３１によって制御される。切換弁（あるいは単なる分岐）３２は、パイロットライン２５を電磁制御弁３１に分岐する。電磁制御弁３１の油圧ライン２７ａの油圧は、ブームシリンダ７の制御に使用される。圧力センサ２９は、ブーム軸への操作入力θＣＮＴを検出し、コントローラ３０に出力する。そして通常動作中（補正期間以外）においては、コントローラ３０は、操作入力θＣＮＴにもとづいて電磁制御弁３１を制御する。滑りを防止するための補正期間の間、コントローラ３０の滑り抑制部５１０は、補正後の姿勢が得られるように、電磁制御弁３１を制御する。
【００８１】
なお、図９〜図１３に示したショベル１の構成は例示であって、当業者によればその他の構成によっても、必要な補正処理が可能であることが理解される。
【００８２】
以上、本発明を実施例にもとづいて説明した。本発明は上記実施の形態に限定されず、種々の設計変更が可能であり、様々な変形例が可能であること、またそうした変形例も本発明の範囲にあることは、当業者に理解されるところである。以下、こうした変形例を説明する。
【００８３】
（第１変形例）
センサ５０４は、アタッチメント１２の延長方向に沿ったショベル１の本体の速度を検出する速度センサを含んでもよい。そして検出した速度がしきい値を超えると、補正を有効としてもよい。
【００８４】
（第２変形例）
センサ５０４は、角速度を検出する角速度センサをさらに含んでもよい。滑り抑制部５１０は、角速度センサの出力にもとづいて、加速度センサ５０６の出力を補正してもよい。加速度センサ５０６の出力は、特定方向の滑り（直進運動）だけでなく、ピッチング方向、ヨーイング方向、ローリング方向の回転運動の成分も含みうる。この変形例によれば、角速度センサを併用することで、回転運動の影響を除外して、滑り運動のみを抽出することが可能となる。
【００８５】
（第３変形例）
実施の形態では、センサ５０４を、上部旋回体４に設けたが、走行体２に設けてもよい。この場合、上部旋回体４の旋回角（位置）を検出することで、センサ５０４の出力から、アタッチメント１２の延長方向に沿った運動を検出し、その方向への滑りを検出することができる。
【００８６】
（第４変形例）
センサ５０４は、走行体の滑りを直接的に検出可能であれば、加速度センサや速度センサに限定されず、その他のセンサを用いてもよい。たとえばセンサ５０４は画像センサであってもよく、滑り抑制部５１０は、画像解析処理によって、走行体のアタッチメントの延長方向への滑りを検出してもよい。
【００８７】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００８８】
１…ショベル、２…走行体、２Ａ，２Ｂ…走行油圧モータ、３…旋回装置、４…旋回体、４ａ…運転室、５…ブーム、６…アーム、７…ブームシリンダ、８…アームシリンダ、９…バケットシリンダ、１０…バケット、１１…エンジン、１２…アタッチメント、１４…メインポンプ、１５…パイロットポンプ、１７…コントロールバルブ、２１…旋回油圧モータ、２６…操作装置、Ｌ１…延長方向、５００…油圧アクチュエータ、５０２…駆動手段、５０４…センサ、５０６…加速度センサ、５１０…滑り抑制部。
【産業上の利用可能性】
【００８９】
本発明は産業機械に利用できる。
【図１】
2017104238.tif 000003
【図２】
2017104238.tif 000004
【図３】
2017104238.tif 000005
【図４】
2017104238.tif 000006
【図５】
2017104238.tif 000007
【図６】
2017104238.tif 000008
【図７】
2017104238.tif 000009
【図８】
2017104238.tif 000010
【図９】
2017104238.tif 000011
【図１０】
2017104238.tif 000012
【図１１】
2017104238.tif 000013
【図１２】
2017104238.tif 000014
【図１３】
2017104238.tif 000015
【国際調査報告】
2017104238.tif 000016
2017104238.tif 000017